(57)【特許請求の範囲】
【請求項１】
光学エンジン装置であって：
波長により特徴付けられるレーザダイオード装置と；
前記レーザダイオード装置の出力に結合するレンズと；
前記レーザダイオード装置に操作可能に結合するスキャニングミラー装置と：
前記スキャニングミラー装置に結合し、前記レーザダイオード装置と共に構成される燐光体プレートと；
前記レーザダイオード装置および前記スキャニングミラー装置に結合されたコントローラーと；を含み、前記コントローラーは、
前記レーザダイオード装置の変調および前記スキャニングミラー装置の移動により、燐光体プレートの第１の部分上において第１の解像度を有する第１の空間像を形成し、前記燐光体プレートの第１の部分は第１の色を放つ第１の燐光体を有し、前記第１の空間像は前記第１の色を有するとともに、
前記燐光体プレートの第２の部分上において第２の解像度を有する第２の空間像を形成し、前記燐光体プレートの第２の部分は第１の色と異なる第２の色を放つ第２の燐光体を有し、前記第２の空間像は前記第２の色を有し、前記第２の解像度は前記第１の解像度と異なり、前記第２の空間像は前記燐光体プレート上において前記第１の空間像と同時に形成されること、
を含む、光学エンジン装置。
【請求項２】
前記燐光体プレートは、赤色燐光体、緑色燐光体および青色燐光体を含む、請求項１に記載の装置。
【請求項３】
前記燐光体プレートは、複数の燐光体プレートを含み、前記スキャニングミラー装置は、複数のスキャニングミラーを含む、請求項１に記載の装置。
【請求項４】
前記光学エンジン装置は、ディスプレイ・システムと共に構成される、請求項１に記載の装置。
【請求項５】
さらに、ヒートシンク装置を用いて熱エネルギーが伝達され、除去されるように、前記燐光体プレートに結合したヒートシンク装置を含み；
前記燐光体プレートは、透過性燐光体種または反射性燐光体種の少なくとも１つを含む、請求項１に記載の装置。
【請求項６】
センサーまたはイメージャ、および
前記センサーまたは前記イメージャからの入力を受信し、対象を追跡し、動的に照明するフィードバックおよびサーボ制御
をさらに含む、請求項１に記載の装置。
【請求項７】
光学エンジン装置であって、
波長により特徴付けられるレーザダイオード装置と；
前記レーザダイオード装置の出力に結合するレンズと；
前記レーザダイオード装置に操作可能に結合するスキャニングミラー装置と；
前記スキャニングミラー装置に結合され、前記レーザダイオード装置と共に構成されるパターン化されていない燐光体プレートと；
前記レーザダイオード装置および前記スキャニングミラー装置に結合されたコントローラーと；を含み、前記コントローラーは、
前記レーザダイオード装置の変調および前記スキャニングミラー装置の移動により、燐光体プレートの第１の部分上において第１の解像度を有する第１の空間像を形成し、第１の色が前記燐光体プレートの第１の部分に関連付けられ、前記第１の解像度は前記第１の空間像と関連付けられ、前記第１の解像度は複数の予め定められた解像度のうちの１つから選択され、前記第１の解像度は前記第１の空間像に関連付けられたコントロールパラメータにより与えられるとともに、
前記燐光体プレートの第２の部分上において第２の空間像を形成し、第２の色が前記燐光体プレートの第２の部分に関連付けられ、第２の解像度は前記第２の空間像に関連付けられ、前記第２の解像度は前記第１の解像度と異なり、前記第２の空間像の前記第２の色は前記第１の空間像の前記第１の色と異なり、前記第２の空間像は前記燐光体プレート上において前記第１の空間像と同時に形成されること、
を含む、光学エンジン装置。
【請求項８】
前記燐光体プレートが複数の燐光体プレートを含み、前記スキャニングミラー装置が複数のスキャニングミラーを含む、請求項７に記載の装置。
【請求項９】
前記光学エンジン装置は、ディスプレイ・システムと共に構成される、請求項７に記載の装置。
【請求項１０】
前記燐光体プレートは、前記燐光体プレートの空間領域内に、赤色燐光体、緑色燐光体および青色燐光体を含む、請求項７に記載の装置。
【請求項１１】
さらに、ヒートシンク装置を用いて熱エネルギーが伝達され、除去されるように、前記燐光体プレートに結合したヒートシンク装置を含み；
前記燐光体プレートは、透過性燐光体種または反射性燐光体種の少なくとも１つを含む、請求項７に記載の装置。
【請求項１２】
前記レーザダイオード装置の変調および前記スキャニングミラー装置の移動により、前記第１の空間像の色と前記第２の空間像の色とが決定される請求項７に記載の装置。
【請求項１３】
前記コントロールパラメータは、前記レーザダイオード装置および前記スキャニングミラー装置に結合するコントローラーにより提供され；
前記空間像はスペックルフリーである、
請求項７に記載の装置。
【請求項１４】
さらに、前記スキャニングミラー装置から提供されるビーム経路を含み、前記燐光体プレートが：
前記ビーム経路を介して前記スキャニングミラー装置に結合され、前記レーザダイオード装置と共に構成された第１の燐光体プレートと；
前記ビーム経路を介して前記スキャニングミラー装置に結合され、前記レーザダイオード装置と共に構成された第２の燐光体プレートと；
前記ビーム経路を介して前記スキャニングミラー装置に結合され、前記レーザダイオード装置と共に構成された第３の燐光体プレートとを含み、前記第１の空間像は、前記第１の燐光体プレート、前記第２の燐光体プレート、または前記第３の燐光体プレートのいずれか１つの上に形成され、前記第２の空間像は前記第１の燐光体プレート、前記第２の燐光体プレート、または前記第３の燐光体プレートの他のいずれか１つの上に形成される、請求項７に記載の装置。
【請求項１５】
さらに、前記ビーム経路の第１の部分に構成され、前記第１の燐光体プレートへの前記ビーム経路を構成する、第１のミラーと；前記ビーム経路の第２の部分に構成され、前記第２の燐光体プレートへの前記ビーム経路を構成する、第２のミラーを含む、請求項１４に記載の装置。
【請求項１６】
光学エンジン装置であって：
波長によって特徴付けられるレーザダイオード装置と；
前記レーザダイオード装置の出力に結合されたレンズと；
前記レーザダイオード装置に操作可能に結合されるスキャニングミラー装置と；
前記レーザダイオード装置および前記スキャニングミラー装置に結合された燐光体プレートと； 
前記レーザダイオード装置および前記スキャニングミラー装置に結合されたコントローラーと；を含み、前記コントローラーは、
前記レーザダイオード装置の変調および前記スキャニングミラー装置の移動によって燐光体プレートの第１の位置に第１の解像度および第１の色を有する第１の空間像を形成し、および
前記燐光体プレートの第２の位置に第２の解像度および第２の色を有する第２の空間像を形成し、前記第２の解像度は前記第１の解像度と異なるとともに前記第２の色は前記第１の色と異なり、前記第２の空間像は前記第１の空間像と同時に前記燐光体プレート上に形成される
ことを特徴とする光学エンジン装置。
【請求項１７】
シーケンシャルカラーアドレッシングの方法であって：
制御信号をレーザダイオード装置およびスキャニングミラー装置に提供し、第１の色を放つ第１の燐光体及び前記第１の色と異なる第２の色を放つ第２の燐光体を少なくとも有するカラー燐光体プレート上でレーザビームをシーケンシャルにライン・バイ・ラインまたはプレート・バイ・プレートにスキャンし変調して、スクリーンまたは観察者の目に第１の空間カラー像および第２の空間カラー像を形成し、前記第１の空間カラー像の第１の解像度および第１の色は、前記第２の空間カラー像の第２の解像度および第２の色と異なる、
方法。
【請求項１８】
同時カラーアドレッシング方法であって：
制御信号をレーザダイオード装置およびスキャニングミラー装置に提供し、第１の色を放つ第１の燐光体及び前記第１の色と異なる第２の色を放つ第２の燐光体を少なくとも有するカラー燐光体プレート上で同時的にレーザビームをスキャンし変調して、スクリーンまたは観察者の目に第１の空間カラー像および第２の空間カラー像を形成し、前記第１の空間カラー像の第１の解像度および第１の色は、前記第２の空間カラー像の第２の解像度および第２の色と異なる、
方法。
【発明の詳細な説明】
【背景技術】
【０００１】
背景
大画面のディスプレイは、近年ますます普及し、液晶ディスプレイ（ＬＣＤ）がテレビジョン（ＴＶ）をより安価とし、デジタル広告は、ガソリンスタンド、ショッピングモール、コーヒーショップでさらに普及し、さらなるトラクションを得るものと期待される。実質的な成長（例、４０％以上）は、過去数年間で大フォーマットディスプレイ（例、４０インチ以上のＴＶ）で見られており、消費者は、パーソナルコンピューター（ＰＣ）と同様に、ラップトップについても、より大きなディスプレイに慣れてきている。ＴＶ、インターネット、ビデオなどのモバイル機器では、より多くの視聴コンテンツが利用できるようになっているため、携帯型家電製品のディスプレイは、キーボード、カメラ、スペースおよび電力といった競合的な他の特徴のため、小型（６インチ未満）のままである。
【０００２】
加えて、スマート照明は、照明に関連する動的な機能も同様に、光源にセンサーと接続性が導入されている現在の＄８０Ｂ照明市場内で大きな機会として浮かび上がってきつつある。
【０００３】
既存の照明源は、これらの重要な用途のニーズを満たすためには実質的な欠点を有する。詳細には、光源の効率が低いこと、光源の空間輝度が低いこと、および光学的なエンジンの光学効率が非常に低いことから、消費電力の電気ワット当たりの供給される明るさが、典型的には非常に低いことである。もう１つの重要な欠点は、既存の光源では、光効率が悪いため、供給される明るさ当たりのコストが、典型的に見て高いことである。既存する光源のもう１つの重要な欠点は、ダイナミックな機能性の欠如、詳細には、高効率かつ低コストのコンパクトなフォームファクタで動的な空間パターンおよび色彩パターンを生成する能力が限られていることにある。
【０００４】
したがって、画像およびビデオを表示するための改良されたシステム、およびスマートな照明が望まれている。
【発明の概要】
【０００５】
要約
本発明によれば、レーザ照明の技術が提供される。単なる例として、本発明は、白色照明、白スポット照明、フラッシュライト、自動車用ヘッドライト、オール・テライン・ビークル照明、自転車、サーフィン、ランニング、レース、ボートなどのレクリエーションスポーツに使用される光源、安全、ドローン、ロボット、防衛用途の対抗手段として使用される光源、マルチカラー照明、フラットパネル用照明、医療、計測、ビームプロジェクターおよびその他のディスプレイ、高輝度ランプ、分光、娯楽、劇場、音楽およびコンサート、分析詐称検出および／または認証、ツール、水処理、レーザダズラ、ターゲティング、通信、変換、輸送、レベリング、キュアリングおよび他の化学処理、加熱、切断および／または融除、他の光学デバイス、他の光学電子デバイスおよび関連するアプリケーションのポンピング、および光源照明およびモノクロ、白黒またはフルカラーのプロジェクションディスプレイなどの用途に適用することができる。
【０００６】
単一のレーザ光源、スキャニングミラーおよびパターン化されていない燐光体、および複数のレーザ、スキャニングミラーおよびパターン化されていない燐光体を有するエンジンを有する光学エンジンが開示される。透過型および反射型構成、およびカラーラインおよびフレームシーケンシャル・アドレッシングおよびパラレル同時アドレッシングを有する複数のリイメージされた燐光体アーキテクチャが開示される。これらの高い出力効率の小型エンジンは、高画質化のためのスペックル除去を必要とせず、プロジェクション・ディスプレイやスマートライティング・アプリケーションのオンデマンド分解能および色域の調整可能性を提案できる。
【０００７】
１実施例では、本発明は光学エンジン装置を提供する。装置は、レーザダイオード装置、３００〜２０００ｎｍの範囲の波長またはそのいかなる変更を特徴とするレーザダイオード装置を含む。例えば、装置は、レーザダイオード装置の出力に結合されたレンズと、レーザダイオード装置に操作可能に結合されたスキャニングミラー装置とを有する。例えば、装置は、スキャニングミラーに結合され、レーザ装置と共に構成されたパターン化されていない燐光プレートと；レーザの変調とスキャニングミラー装置の移動によって構成されたパターン化されていない燐光プレート上に形成された空間像とを含む。
【０００８】
代替例では、装置は、光学エンジン装置を有する。装置は、レーザダイオード装置を含む。例えば、レーザダイオード装置は、波長によって特徴付けられる。例えば、装置は、レーザダイオード装置の出力に結合されたレンズを含む。装置は、レーザダイオード装置に操作可能に結合されたスキャニングミラー装置およびスキャニングミラーに統合され、レーザ装置と共に構成されたパターン化されていない燐光プレートを含む。装置は、レーザの変調およびスキャニングミラー装置の移動によって構成された、パターン化されていない燐光プレートの部分で形成された空間像を含む。好ましい実施形態では、装置は、空間像に関連した解像度であって、この解像度は、複数の所定の解像度の１つより選択された解像度を含む。例えば、解像度は、空間像に関連した制御パラメータによって提供される。
【０００９】
１実施例では、装置は、空間像に関連する単色または複数の色を有し、単色または複数の色は、レーザ装置の変調およびスキャニングミラー装置の移動を伴う。１実施例では、装置は、パターン化されていない燐光プレートの２番目の色で形成された、もう１つの空間像を含む。１実施例では、他の空間像は、もう１つのまたは同一の解像度および異なる色を含む。１実施例では、他の空間像は、パターン化されていない燐光プレートの１番目の色の空間像と一致してまたは同時に出力される。１実施例では、空間像は、時定数により特徴付けられる。１実施例では、制御パラメータは、レーザダイオード装置およびスキャニングミラー装置に結合されたコントローラによって提供される。１実施例では、空間像はスペックルフリーである。
【００１０】
１実施例では、装置は、レーザダイオード装置への入力および前記空間像の出力に基づき、１０％〜８０％以上の効率を有する。１実施例では、装置は、ユーザーによる空間像の直視を含む。
【００１１】
１実施例では、本発明は、光学的なエンジン装置を含む。装置は、レーザダイオード装置を有する。例えば、レーザダイオード装置は、変更が可能ではあるが、３００〜２０００ｎｍの範囲の波長によって特徴付けられる。１実施例では、装置は、レーザダイオード装置の出力に結合されたレンズを含む。装置は、レーザダイオード装置に操作可能に結合されたスキャニングミラー装置を含む。装置は、スキャニングミラーから提供されるビーム経路を含む。装置は、ビーム経路を介してスキャニングミラーに結合され、レーザ装置と共に構成されたパターン化されていない燐光プレートの第１色、およびビーム経路を介してスキャニングミラーに結合され、レーザ装置と共に構成されたパターン化されていない燐光プレートの第２色、およびビーム経路を介してスキャニングミラーに結合され、レーザ装置と共に構成されたパターン化されていない燐光プレートの第３色を含む。１実施例では、装置は、パターン化されていない燐光プレートの第１色、パターン化されていない燐光プレートの第２色、またはパターン化されていない燐光プレートの第３色のいずれかの部分で形成された空間像、またはレーザの変調およびスキャニングミラー装置の移動によって構成された、パターン化されていない燐光プレートの３つ全ての部分で形成された空間像を含む。 
【００１２】
１実施例では、装置は、ビーム経路から第１のパターン化されていない燐光プレートを構成するビーム経路の第１部分に構成される第１ブロッキングミラー；ビーム経路から第２のパターン化されていない燐光プレートを構成するビーム経路の第２部分へ構成される第２ブロッキングミラーを含む。
【００１３】
１実施例では、装置は、レーザダイオード装置およびスキャニングミラー装置へ結合され、パターン化されていない燐光部分で空間像を発生するために構成されたコントローラを含む。 
【００１４】
１実施例では、パターン化していない燐光プレートは、多元素の燐光体種を含む。１実施例では、多元素燐光体種は、赤の燐光体、緑の燐光体、そして青の燐光体を含む。 
【００１５】
１実施例では、パターン化されていない燐光プレートは、複数のカラー燐光サブプレートを含む。 
【００１６】
１実施例では、スキャニングミラー装置は、複数のスキャニングミラーを含む。１実施例では、パターン化されていない燐光体は、スキャニングミラーに含まれる。１実施例では、３次元（３Ｄ）ディスプレイ装置は、左右両眼用の２つの立体画像を発生する、１つまたはそれ以上のレーザダイオード、１つまたはそれ以上のスキャニングミラーおよび１つまたはそれ以上のパターン化されていない燐光体を含む。 
【００１７】
１実施例では、装置は、ディスプレイシステムと共に構成される。１実施例では、パターン化されていない燐光プレートは、パターン化されていない燐光プレートの空間部分内で、赤色の燐光体、緑色の燐光体、または青色の燐光体を含む。
【００１８】
１実施例では、装置は、ヒートシンク装置を用いて熱エネルギーが伝達され除去されるように、パターン化されていない燐光プレートに結合されたヒートシンク装置を有し；パターン化された燐光プレートは、少なくとも一つの透過性燐光体種または反射性燐光体種を含む。
【００１９】
本発明の使用により、既存の技術よりもさまざまな利点が得られる。具体的には、本発明は、効率的な光源を使用し、照明またはディスプレイ・システムの高い全体的な光学効率をもたらす、費用効果の高い投影システムを可能とする。特定の実施形態では、光源は、比較的単純でコスト効率の良い方法で製造することができる。実施形態に応じて、本装置および方法は、当業者に従い、従来の材料および／または方法を使用して製造することができる。１つまたはそれ以上の実施形態では、レーザ装置は、多数の波長を有することができる。当然ながら、その他の変形、修正、および代替も可能である。実施形態に応じて、１つまたはそれ以上の上述した利点を得ることができる。これらの利点および他の利点について、本明細書を通して、以下、より詳細に説明する。 
【００２０】
本発明は、既知のプロセス技術のコンテキストにおいて、上述した利益その他を達成する。しかしながら、本発明の性質と利点の更なる理解は、明細書の後述する部分と添付する図面を参照することにより実現される。
【図面の簡単な説明】
【００２１】
【図１】図１は、従来のスキャニングミラー・ディスプレイの、先行技術の簡略化された概略図である。
【００２２】
【図２】図２は、１実施例によるスキャニングミラーおよびパターン化されていない燐光プレートを有するディスプレイの光学エンジンおよびアドレッシングエレクトロニクスの新規的なアーキテクチャの簡略化された概略図を示す。
【００２３】
【図３Ａ】図３ａは、背面、透過照明および燐光プレートの詳細を伴う光学構成を示す；
【００２４】
【図３Ｂ】図３ｂは、１実施例による前面、垂直反射照明および対応する燐光プレートの光学構成を示す；
【００２５】
【図３ｃ】図３ｃは、フルカラー燐光プレートを示す。
【００２６】
【図４】図４は、１実施例による１つのレーザダイオード、１つのスキャニングミラーおよび二つの一軸オン／オフミラーを伴う光学的構造を示す。
【００２７】
【図５】図５は、１実施例による３つのレーザダイオードおよび３つのスキャニングミラーを伴う光学的構造を示す。
【００２８】
【図６】図６は、実施例によるスキャニングミラーに構成される、レーザダイオードおよび燐光プレートを伴う三次元（３Ｄ）の光学的構造を示す。
【００２９】
【図７】図７ａは、実施例によるパターン化されていない燐光ディスプレイのアドレッシングのための駆動波形を示し、図７ｂは、３つのパターン化されていない燐光プレート上のスキャニングラインパターンを示す。
【００３０】
【図８】図８は、実施例により、以下の移動ターゲットへのフィードバック機構を伴う動的照明のシステムを示す。
【発明を実施するための形態】
【００３１】
詳細な説明
本発明に従い、レーザ照明の技術が提供される。 
【００３２】
本明細書は、スマート照明およびディスプレイの光学および電気設計、アーキテクチャおよび実装に関する。光学アーキテクチャは、単一または複数のレーザダイオード、単一または複数のスキャニングミラーおよび単一また複数のパターン化されていない燐光プレートを基礎とする。
【００３３】
背景としては、従来のディスプレイは、白色光照明、カラー・フィルターの配列、パネル上でアドレス指定可能な液晶ディスプレイ（ＬＣＤ）ピクセルを使用し、これらは、電気的なアドレッシングにより照明輝度の制御をオン／オフするピクセルを伴う。もう１つのディスプレイのタイプは、エレクトロルミネセンス（有機発光ダイオード−ＯＬＥＤアレイ）によって発光を生成するアドレス指定可能なピクセルのアレイによって形成される。また、もう１つのディスプレイのタイプは、光学投影やスクリーンに選択的に色の順序、時分割多重光を反映する、偏向可能なマイクロミラーのアドレス指定可能なアレイによって形成されている。加えて、アドレス指定可能な要素のマトリックスを必要としないカラーディスプレイのさらなるタイプは、３色光源および２軸スキャニングミラーを基礎とし、２軸スキャニングミラーは、２方向でスキャニングすることによってイメージの形成を可能としており、３つのレーザまたは他の光源が駆動電流によって直接変調される。加えて、燐光ピクセルの赤、緑、青の配列を伴うパターン化された燐光プレートは、スキャニングミラーへのレーザ光入射によってアドレス指定が可能であり、光輝度は、レーザ・ドライバによって制御される。照明パターンは、直視できるか、または光学システムを用いて所望の表面にリイメージ化される。
【００３４】
マトリックスアレイ・ディスプレイ製品の共通性は、表示される内容の固定解像度、固定色域、低電力効率および光学的、電気的複雑性である。着色された燐光ピクセルのマトリックスを使用しない、直接的にリイメージ化されたスキャニングミラー・ディスプレイは、調整可能な解像度、より高い電力効率、およびコンパクト・フットプリントを提供するが、画像スペックルが発生し、このスペックルは、これらのディスプレイが必要とするレーザ光源のコヒーレント性の結果であり、また、異なる波長を伴うレーザの３つのタイプを必要とするため、安全性の問題、調整の複雑さ、および高いコストが問題となる。
【００３５】
本開示は、要求に応じた解像度と色域、極めて高い電力効率、ノースペックル、かつ光学的、電気的な単純さ、小型パッケージング、最小数の能動素子および最小の安全性並びに調整上の配慮を有する、新規的なディスプレイおよびスマート照明を開示する。複数の光学エンジンの実施形態およびいくつかのアドレシングスキームが開示される。
【００３６】
スキャニングミラー・ディスプレイのアーキテクチャの先行技術を、図１に概説する。１例は、米国特許番号第９，１００，５９０、Ｒａｒｉｎｇ等、２０１５年８月４日発行、発明の名称、Ｌａｓｅｒ  ｂａｓｅｄ  ｄｉｓｐｌａｙ  ｍｅｔｈｏｄ  ａｎｄ  ｓｙｓｔｅｍに見出すことができ、その全体は、本明細書に参照として組み込まれる。
【００３７】
１実施例によれば、投影装置が提供される。投影装置は、開口を有するハウジングを包む。装置はまた、画像の１またはそれ以上のフレームを受信するための入力インタフェース１１０を含む。装置は、ビデオ処理モジュール１２０を含む。加えて、この装置は、レーザ源を含む。レーザ源は、青色レーザダイオード１３１、緑色レーザダイオード１３２、赤色レーザダイオード１３３を含む。青色レーザダイオードは、無極性または半極性のＧａ含有基板上に製造され、約４３０〜４８０ｎｍのピーク動作波長を有するが、他の波長も使用可能である。緑色レーザダイオードは、無極性または半極性のＧａ含有基板上に製造され、約４９０〜５４０ｎｍのピーク動作波長を有する。赤色レーザは、６１０〜７００ｎｍを有し、ＡｌＩｎＧａＰから製造可能である。レーザ源は、２色性ミラー１４２および１４３を使用して、青色、緑色、赤色レーザダイオードからの出力を統合することによって、レーザビームを生成するように構成される。装置は、レーザ源に結合されたレーザドライバ・モジュール１５０も含む。レーザドライバモジュールは、１またはそれ以上の画像のフレームからのピクセルに基づいて、３つのドライブ電流を発生する。それぞれの３つのドライブ電流は、レーザダイオードを駆動するために調整される。装置は、単一ピクチャ１７０をもたらす開口部を通して、特定の区域にレーザビームを投影するために構成された、マイクロ・エレクトロ・メカニカルシステム（ＭＥＭＳ）スキャニングミラー１６０または“フライングミラー”も含む。２次元でのピクセルのラスタリングによって、完全な画像が形成される。装置は、レーザ源の近傍内に提供された光学部材を含み、この光学部材は、レーザビームをＭＥＭＳスキャニングミラーに向けるように調整されている。この装置は、レーザ源およびＭＥＭＳスキャニングミラーに電気的に結合された電源を含んでいる。
【００３８】
図２に開示されるスキャンされた燐光ディスプレイの実施例は、単一の紫外または青色レーザダイオード、単一のスキャニングミラーおよび単一の燐光プレートを示す。ディスプレイの光源は、高周波ドライバ増幅器２１１によって駆動される、青色または紫外レーザダイオード２１０である。光変調信号に変換された電気変調信号は、ビデオまたは他のデジタル・データソース２１４から得られるディスプレイ・コンテンツを受信する、プロセッサ２１２によって提供される。プロセッサ２１２は、標準的なビデオまたは画像コンテンツを、スキャニングデバイス２３０およびパターン化されていない燐光プレート２４０を構成するディスプレイ・メディアのアドレス指定の規格に互換なフォーマットへ変換する。単色ディスプレイは、単一のパターン化されたプレートのみを必要とする。フルカラーディスプレイは、３つのパターン化されていない燐光セグメント（またはサブプレート）、赤色２４１、緑色２４２および青色２４３へ細分された、または構成された燐光プレート２４０を必要とする。追加の燐光サブプレートは、表示された画像の色域を強めるオレンジのサブ燐光プレートのように追加することができる。異なる燐光サブプレート２４１、２４２は、透過型または反射型の構成を伴う、行または２×２パターンなど利便性の良いパターンに配列することができる。
【００３９】
レーザダイオード２１０によって発生したコヒーレント光は、光学機器２２０によって平行にコリメートされ、スキャニングミラー２３０へ向かう。スキャナーは、典型的には、２次元のラスター上で、光ビームの角度スキャニングを可能とする双方向、２軸アクチュエータである。単方向性スキャナーは、他の実行可能な選択肢を代表する。他のスキャニングの選択肢は、完全な２次元画像のための２つの１軸アクチュエーターを使用する。
【００４０】
パッケージ化されていないレーザダイオード２１０、平行にコリメートされた光学機器２２０、パッケージ化されていないスキャニングミラー２３０および燐光プレート２４０で構成される光学エンジンは、粒子汚染から構成要素を保護する密閉または非密閉パッケージに取り囲まれる。任意的な密閉パッケージは、スキャナーの低摩擦動作がより高い偏向角動作のために望ましい場合は、不活性ガス、酸素含有ガス、または大気圧よりも低い圧力の他の所望のガスドーパント、圧縮乾燥空気、または低レベルの真空で充満させることができる。燐光プレートをモジュールの内部にパッケージングすることは、フォームファクタ、信頼性、およびコストに関して一定の利点を有する。 
【００４１】
レーザダイオードは、ネイティブ・ガリウムおよび窒素含有基板より輸送されたガリウムおよび窒素含有エピタキシャル層に形成され、これらは、米国出願番号１４／３１２，４２７および米国公開番号２０１５／０１４０７１０に記載され、これらは参照により本明細書に組み込まれる。例えば、このＧａＮ輸送技術は、低コスト、高性能、より高度に製造可能なプロセスフローを可能にする。 
【００４２】
典型的なスキャニングミラーは、２次元マイクロ−エレクトロ−メカニカルシステム（ＭＥＭＳ）静電気または電磁気駆動スキャナであってもよい。静電櫛形ＭＥＭＳスキャナー２３０は、大きな偏向角、高い共振周波数、および良好な衝撃および振動耐性のための比較的高い機械的剛性を提供する。さらに高い共振周波数、より高いスキャニング角度、および衝撃や振動に対するより高い耐性が必要な場合に、２次元の電磁気スキャニングＭＥＭＳミラー２３０が使用される。他の実施形態は、１つの二軸スキャナーの代わりに２つの１軸スキャニングミラーを使用する。スキャニングミラーは、通常、共振モードまたは準静的モードで動作し、レーザを変調するデジタル・コンテンツを伴うそれらの変位の同期化を必要とする。偏向角の能動的な検出（図示せず）は、このシステムに含まれる。これは、スキャニングミラーのヒンジ上にセンサーを組み込むことによって達成することができる。これらのセンサーは、圧電、圧電抵抗、容量性、光学または他のタイプとすることができる。それらのシグナルは、ミラーの動きをデジタルディスプレイまたはビデオシグナルと同期させるために、増幅され、フィードバックループ内で使用される。
【００４３】
パターン化されていない燐光をスキャンするレーザビームによって発生する光画像は、観察者２６０によって直視できるか、または光学システム２５０によって適切な光学スクリーン２７０へとリイメージ化することができる。単色画像システムのために、光学システム２５０は、カラー光コンバイナーを必要としないが、フルカラー画像システムのために、光学システム２５０は、結合光学系も含み、それらは、単純に図２には表示されていないが、後述する図５および６には表示されている。
【００４４】
パターン化されていない燐光プレートの詳細は、図３ａに含まれる。背面照明３９０は、単色レーザ照明に対して透明であり、照明側に反射防止薄膜構造３２０でコーティングされた基板３１０に照射される。基板の燐光側上には、高屈折率層の単一の膜または複数のスタックからなる高反射層３３０が使用される。反射は、燐光体の発光波長に対して最適化され、その結果、ほとんどすべての放射光強度が順方向で使用される。このコーティングは、レーザダイオードの励起波長で透明である。粉末膜、単結晶の燐光体または量子ドットからなる燐光層３４０が選択され、その結果として効率的な燐光が、特定の励起波長および所望の赤色、緑色および青色波長の発光により発生する。プレート３０１は、１、２、３またはそれ以上の燐光サブプレートを含むことができるが、それらは図３ａに示されていない。最適化された色域は、単一の燐光体または燐光体の混合物で達成される。赤、緑、オレンジおよび青、とりわけその他の燐光の例は、以下に記載される。燐光層３４０に生成された画像は、光学システム３９２を伴うリイメージとなる。燐光プレートは、具体的には高輝度システム用のヒートシンクを含むことができる。透過構成のためのヒートシンクは、非常に良好な熱伝導体であるが、照明光に対して光学的に透明な材料によって形成される。
【００４５】
燐光プレート３０２を伴う第２のアーキテクチャを、図３ｂに示す。この場合、励起光３９０は、燐光体表面の正面から入射される。スキャンされた励起光３９０は、ダイクロイックミラー３５１および集光光学系３５０を通過し、基板３１０を有する燐光プレート３０２へ向かう。燐光体３４０は、高反射層３７０上に配置され、高反射層３７０は、基板３１０上に存在する。燐光体３４０によって放出された光３９１は、光学アセンブリ３５０によって平行にコリメートされ、画像化され、ダイクロイックミラー３５１および任意の光学部品３５２からの反射によって、スクリーンまたは観察者へ向かう。
【００４６】
図３ｃは、基板３１０と、ここではサブプレートとして参照される燐光膜３４１，３４２，３４３とを含むフルカラー燐光体プレート３０３の詳細を示す。３つの燐光体および照明光３９０によって生成された燐光を効率よく反射する単一層または多層膜スタック３７１，３７２および３７３も、基板３１０と燐光膜３４１，３４２および３４３との間に存在する。これとは別に、単一膜スタックは、３つのスペクトル領域をカバーする発光スペクトルの幾分かの反射効率の損失を伴う３つの異なるスタックに置き換えることができる。この反射燐光プレートは、ヒートシンクフィルムを含むことができ、そのヒートシンクフィルムは、燐光体３４１，３４２，３４３、または反射層３７１，３７２，３７３の下に配置される。いくつかの場合では、ヒートシンクフィルムの機能性を反射フィルムと組み合わせることができる。
【００４７】
３色のサブプレートを伴うフルカラーディスプレイ・アーキテクチャ４００を、図４に示す。変調された光は、レーザドライバによって駆動されるレーザダイオード４１０と、図２のユニット２１５と同等の機能を有するユニット４１５によって表される入力データに従ってビデオプロセッシング電子機器によって生成される。スキャニングミラー４３０は、燐光体４４１，４４２，４４３上でスキャニングパターンを提供する。２つの状態（オン／オフ）ミラー４７３は、励起光がオン状態にあるとき、励起光が第１の燐光体４４３上にガイドすることを可能にする。ミラー４７３がオフ状態にあり、ミラー４７２がオン状態に切り替えられると、励起光は、第２の燐光体４４２に向けられる。両方のミラー４７３および４７２がオフ状態にある場合、励起光は固定鏡４８０へと下向きに照射され、光を第３の燐光体４４１上に照射する。燐光体４４１，４４２および４４３によって放出された光は、光学系システム４５１，４５２，４５３によって結像され、ミラー４６１および４６２並びに結合キューブ４６０を使用することによって、１つのビームへの再結合するように向けられる。画像は、観察者の目またはスクリーン４９５上に形成される。
【００４８】
追加のデザインおよび性能の柔軟性は、追加の光源およびスキャンニング・ミラーを上述した基本的なアーキテクチャに追加することによって達成することができる。追加の光学要素を伴うオプションは、ディスプレイまたはスマート照明が、利用可能な最高のパワーを伴う単一の光源によっては満足されない高輝度用途向けである場合に特に重要である。このようなデザインのアーキテクチャを、図５に示す。ディスプレイ・メディアは、図３ｃに開示されたものと同一であり、３つの燐光体セグメント５４１，５４２および５４３を伴う。図３ｂの反射、前面照明などの他の照明オプションを使用することができるが、此処では、透過、背面照明を、１つの典型的なアーキテクチャを説明するために選択する。最も高い単一のレーザ出力と燐光体との組み合わせで提供できる輝度よりも高い表示輝度が必要とされる場合、追加のレーザダイオードが追加できる。紫外線または青色波長を有する３つのレーザダイオード５１１，５１２および５１３は、光源として提供することができる。レーザダイオードは、電子回路５１５，５１６および５１７によって駆動される。それらの回路の要素は、図２の説明と共に以前に開示した。レーザダイオード５１１，５１２および５１３からのレーザ光は、光学要素５２１，５２２および５２３でそれぞれ平行にコリメートされる。平行にコリメートされ変調された光列は、燐光体５４１，５４２および５４３をアドレス指定する、３つのスキャニングミラー５３１，５３２および５３３に向けられる。このタイプのアドレッシングを、本明細書では、同時カラーアドレッシングとして参照する。レーザダイオードを変調するデータレートは、図４に開示されたカラーシーケンシャル・アドレッシングデータレートよりも少なくとも３倍遅くすることができる。更に、高速軸に対するスキャニングミラー共振周波数は、図４のシーケンシャルカラーアドレッシングに必要な周波数よりも３倍低くすることができる。燐光体５４１，５４２および５４３によって放出された光は、上述した光学サブシステム５５１，５５２および５５３によって集められる。これらの３つのカラービームの重ね合わせは、直角の静的ミラー５６１および５６３ならびにキューブカラー・コンバイナー５６０により達成される。カラー画像またはビデオは、その後、スクリーン５９５または観察者に直接向けられる。
【００４９】
この実施形態は、より多くの光学要素を有するが、レーザ変調周波数およびスキャニング角度に対する厳しい要件を有しない。加えて、図５の光学アーキテクチャは、高輝度アプリケーションに非常に適している。レーザダイオード５１１，５１２および５１３は、名目上、同じ発光波長を伴う同じレーザとすることができる。レーザダイオードの電力定格は、所望の輝度および色域がスクリーン上で達成されるように選択することができる。この代替として、レーザダイオード５１１，５１２および５１３の発光波長を異ならせることにより、燐光体発光の変換効率を高めることができる。レーザダイオードからのエネルギー入力は、これらのレーザビームのスキャニングによって、燐光体の全領域にわたって自然に分布されるので、燐光体の冷却またはカラーホイール上でのそれらの動きは、典型的には不要である。これらの燐光体ベースのディスプレイは、いかなる安全上の問題も示さない。なぜなら、高くコリメートされた低拡散性のレーザビームは、燐光によって拡散性のビームに変換されるからである。これは、図１の直接のレーザスキャナーとは対照的であり、非常に平行なビームで画像を形成し、偶発的で直接的な眼への照射を避けるために、重要なレーザ安全対策を必要とする。
【００５０】
もう１つの実刑形態では、スキャニングミラーの表面に燐光体を直接配置する。この場合には、分離した燐光プレート５４１，５４２および５４３は、図５では不要である。
【００５１】
記載されたアーキテクチャとは異なる要素や特徴を他の方法で組み合わせて、特定のアプリケーションに適した他のデザインを作成することができる。様々な実施形態において、青色レーザダイオードは、極性、半極性、および非極性であり得る。同様に、緑色レーザダイオードは、極性、半極性、非極性であり得る。例えば、青色および／または緑色ダイオードは、窒化ガリウム材料を含むバルク基板から製造される。例えば、以下のレーザダイオードの組み合わせが提供されるが、他のものにもなり得る：青色極性＋赤色*ＡｌＩｎＧａＰ、青色極性＋緑色半極性＋赤色*ＡｌＩｎＧａＰ、青色極性＋緑色極性＋赤色*ＡｌＩｎＧａＰ、青色半極性＋緑色非極性＋赤色*ＡｌＩｎＧａＰ、青色半極性＋緑色半極性＋赤色*ＡｌＩｎＧａＰ、青色半極性＋緑色極性＋赤色*ＡｌＩｎＧａＰ、青色非極性＋緑色非極性＋赤色*ＡｌＩｎＧａＰ、青色非極性＋緑色半極性＋赤色*ＡｌＩｎＧａＰ、青色非極性＋緑色極性＋赤色*ＡｌＩｎＧａＰである。代替実施例では、光源は、単一のレーザダイオードを含む。例えば、光源は、青色レーザビームを出力する、青色レーザダイオードを含む。光源は、レーザビームの青色を変える、一またはそれ以上の光学部材も含む。 例えば、１またはそれ以上の光学部材は、蛍光材料も含む。光源がレーザダイオードおよび／または発光ダイオード（ＬＥＤ）を含むことができることが好ましい。１実施例では、光源は、異なる色のレーザダイオードを含む。他の実施例では、光源は、１つまたはそれ以上の色のＬＥＤを含む。また他の実施例では、光源は、レーザダイオードとＬＥＤの両方を含む。
【００５２】
種々の実施例では、レーザダイオードは、３Ｄディスプレイ用途に利用されている。典型的には、３Ｄディスプレイシステムは、ステレオスコピック原理に依存しており、ステレオスコピック技術は、シーンを見る人のために異なる装置を使用し、人の左右の眼に異なる画像を提供する。図６に、本技術の実施例を示す。例え、いくつかの異なる実施例が有用だとしても、光学的に最も単純であるが、単一の２Ｄスキャニングミラー６３０および単一の蛍光プレート６４１を伴う電気的にはより複雑なアーキテクチャを図６に示す。他のアーキテクチャは、２つの２Ｄスキャニングミラーと、２つの蛍光プレートとを備え、それらは２つの目に２つの画像を独立して、しかしながら同期的に生成する。より複雑な光学アーキテクチャは、６つの２Ｄスキャニングミラー、６つの燐光プレートおよび３つの画像コンバイナーを含むことができ、各２つの燐光プレートは、画像に対して１つの色を提供する。このアーキテクチャは、データ速度、ミラーのスキャニング速度、および駆動エレクトロニクスの帯域幅に関し、最も簡単な要求を有している。
【００５３】
３Ｄディスプレイのアーキテクチャ６００は、パワー変調エレクトロニクス６１５を有する光源６１０をさらに含む。光源６１０からの光は、光学部材６２０によって平行にコリメートされ、２Ｄ二軸ミラースキャナー６３０上に向けられる。スキャナーによってラスタされた光は、ダイクロイックミラー６６０および光学アセンブリ６５１を通過し、この光学アセンブリは、ここでは反射構成において実装される燐光体プレート６４１に入射光を集束する。１つのカラーディスプレイは、単一のカラー燐光体のみを必要とするが、フルカラーディスプレイは、図３ｃで説明したように、完全な燐光体プレートを形成する少なくとも３つの燐光体サブプレートを必要とする。光学アセンブリ６５１の燐光体６４１によってリイメージとして放出された光は、ダイクロイックミラー６６０から２つの状態（オン・オフ）ＭＥＭＳミラー６７２に反射する。その画像が観察者の左目６９５に向けられると仮定すると、ミラー６７２はオン位置にある。画像が観察者の右目６９６用である場合、ミラー６７２はオフ位置にあり、光は、光学素子６９０を通って導かれる。その場合、光は固定ミラー６８０上に下向きに照射され、レンズを介して反射する６９１を観察者の右目６９６に投影する。この場合、光は、固定ミラー６８０上に下向きに照射され、レンズ６９１を介して観察者の右眼６９６に反射する。スキャニングミラー６３０および６７２は、ミラー６３０および６８０上のセンサーからの、フィードバック・シグナルをそれらの位置に関連して受信する電子回路６１６によって制御される。図６に示さないサーボ回路は、その後ミラーへの電気信号を調整して、レーザ源６１０に流入するビデオデータを、ミラー位置で一致させる。
【００５４】
他の実施例では、本発明は、他のガリウムおよび窒素含有基板配向上に構成された、デバイスおよび方法を含む。詳細な実施形態では、ガリウムおよび窒素含有基板は、｛２０−２１｝結晶配向を含む一群の面上に構成される。詳細な実施形態では、｛２０−２１｝は、ｍ面からｃ面（０００１）に向かって１４．９°ずれている。例えば、ミスカットまたはオフカット角は、ｍ面からｃ面に向かって、または代替的に概ね｛２０−２１｝結晶配向面で±１７°である。他の実施例では、本デバイスは、ｃ方向の投影に配向されたレーザストリップを含み、このレーザストリップは、ａ方向に垂直である（または代替的に、ｍ面上では、ｃ方向に構成されている）。１またはそれ以上の実施形態では、劈開されたファセットは、ｃ方向の投影に直交する方向から１〜５°のガリウムおよび窒素含有面（例えば、ＧａＮ面）である（または代替的に、ｍ面レーザの場合には、ｃ面である）。
【００５５】
本明細書で使用するＧａＮ基板という用語は、ＧａＮ、ＩｎＧａＮ、ＡｌＧａＮ、または出発材料として使用される、他のＩＩＩ族含有合金または組成物を含む、ＩＩＩ族窒化物ベースの材料に関連する。このような出発材料は、極性ＧａＮ基板（すなわち、最大面積面が名目上（ｈ ｋ ｌ）平面であり、ｈ＝ｋ＝０であり、かつ１が非ゼロである基板）、非極性ＧａＮ基板（すなわち、最大面積面が、上述した極性方位から、約８０〜１００°の範囲の角度で配向され、ｌ＝０であり、かつｈとｋの少なくとも１つが非ゼロである、（ｈｋｌ）面に向いた基板材料）、または半極性ＧａＮ基板（すなわち、最大面積面が、上述の極性方位から、約０．１〜８０度または１１０〜１７９．９°の範囲の角度で配向され、１＝０であり、かつｈとｋの少なくとも１つが非ゼロである、（ｈｋｌ）面に向いた基板材料）を含む。レーザダイオードは、適切なパッケージに封入することができる。このようなパッケージには、ＴＯ−３８およびＴＯ−５６ヘッダーなどのパッケージを含む。他の、ＴＯ−９や非標準パッケージといった適切なパッケージのデザインおよび方法も存在する。詳細な実施形態では、本装置は、コパッケージ構成で実装でき、それらは、全ての目的のために参照として組み込まれる同一の出願人による米国仮出願番号６１／３４７，８００に記載されている。
【００５６】
他の実施形態では、ベア（パッケージ化されていない）光源およびスキャニングミラーを含む、これらの光学エンジンのいくつかまたは全ての構成要素は、パッケージ内の特定の雰囲気の有無にかかわらず、共通のパッケージ内に密閉または非密閉でパッケージすることができる。他の実施形態では、本レーザ装置は、様々な用途に構成することができる。これらの用途は、レーザディスプレイ、度量衡学、通信、ヘルスケアおよび手術、情報技術、およびその他を含む。例えば、本レーザ装置は、２００９年５月２９日に出願された６１／１８２，１０５および２００９年５月２９日に出願された６１／１８２，１０６米国仮出願に基づく優先権を主張する２０１０年５月２７に提出された米国出願番号第１２／７８９，３０３号に記載されたレーザディスプレイに提供することができる。これらは、本明細書に参照として組み込まれるものである。当然のことながら、他の変形、修正、および代替例は、存在することができる。
【００５７】
例えば、本発明は、ＧａＮ、ＡｌＮ、ＩｎＮ、ＩｎＧａＮ、ＡｌＧａＮ、およびＡｌＩｎＧａＮなどの非極性または半極性の、ガリウム含有基板を使用して、電磁放射を放射するための方法および装置を提供する。本発明は、光学デバイス、レーザ、発光ダイオード、太陽電池、光電気化学的水分離器および水素発生器、光検出器、集積回路、およびトランジスターなどの他の装置に適用できる。 
【００５８】
例えば、燐光体、または燐光体混合物または燐光体単結晶は、一またはそれ以上の（Ｙ，Ｇｄ，Ｔｂ，Ｓｃ，Ｌｕ，Ｌａ）３（Ａｌ，Ｇａ，Ｉｎ）５Ｏ１２：Ｃｅ３＋，ＳｒＧａ２Ｓ４：Ｅｕ２＋，ＳｒＳ：Ｅｕ２＋，およびＣｄＴｅ，ＺｎＳ，ＺｎＳｅ，ＺｎＴｅ，ＣｄＳｅ、またはＣｄＴｅを構成するコロイド状量子ドット薄膜から選択することが可能である。例えば、燐光体は、実質的に赤色光を放射することができ、その燐光体は、以下の１つまたはそれ以上からなる群から選択することができる。（Ｇｄ，Ｙ，Ｌｕ，Ｌａ）２Ｏ３：Ｅｕ３＋，Ｂｉ３＋；（Ｇｄ，Ｙ，Ｌｕ，Ｌａ）２Ｏ２Ｓ：Ｅｕ３＋，Ｂｉ３＋；（Ｇｄ，Ｙ，Ｌｕ，Ｌａ）ＶＯ４：Ｅｕ３＋，Ｂｉ３＋；Ｙ２（Ｏ，Ｓ）３： Ｅｕ３＋；Ｃａ１−ｘＭｏ１−ｙＳｉｙＯ４であって、０．０５≦ｘ≦０．５，０≦ｙ≦０．１である；（Ｌｉ，Ｎａ，Ｋ）５Ｅｕ（Ｗ，Ｍｏ）Ｏ４；（Ｃａ，Ｓｒ）Ｓ：Ｅｕ２＋；ＳｒＹ２Ｓ４：Ｅｕ２＋；ＣａＬａ２Ｓ４：Ｃｅ３＋；（Ｃａ，Ｓｒ）Ｓ：Ｅｕ２＋；３．５ＭｇＯ＊０．５ＭｇＦ２＊ＧｅＯ２：Ｍｎ４＋（ＭＦＧ）；（Ｂａ，Ｓｒ，Ｃａ）ＭｇｘＰ２Ｏ７：Ｅｕ２＋，Ｍｎ２＋；（Ｙ，Ｌｕ）２ＷＯ６：Ｅｕ３＋，Ｍｏ６＋；（Ｂａ，Ｓｒ，Ｃａ）３ＭｇｘＳｉ２Ｏ８：Ｅｕ２＋，Ｍｎ２＋であって１＜ｘ≦２である；（ＲＥ１−ｙＣｅｙ）Ｍｇ２−ｘＬｉｘＳｉ３−ｘＰｘＯ１２であり、ここで、ＲＥは、少なくとも１つのＳｃ，Ｌｕ，Ｇｄ，Ｙ，およびＴｂであって、０.０００１＜ｘ＜０．１および０．００１＜ｙ＜０．１である；（Ｙ，Ｇｄ，Ｌｕ，Ｌａ）２−ｘＥｕｘＷ１−ｙＭｏｙＯ６であって、０．５≦ｘ≦１．０，  ０．０１≦ｙ≦１．０である；（ＳｒＣａ）１−ｘＥｕｘＳｉ５Ｎ８であって、０．０１≦ｘ≦０．３である；ＳｒＺｎＯ２：Ｓｍ＋３；ＭｍＯｎＸであり、Ｍは、以下の群から選択される。Ｓｃ，Ｙ，ランタニド、アルカリ土類金属およびそれらの混合物；Ｘはハロゲンであり；１≦ｍ≦３；１≦ｎ≦４であり、それらのランタニドドーピングレベルは、０．１〜４０％のスペクトル重量の範囲とすることができ；およびＥｕ３＋活性化リン酸塩またはホウ酸塩燐光体；およびそれらの混合物である。他の燐光種の更なる詳細および関連する技術は、共通の権利者Ｒａｒｉｎｇ等による発明であるところの、米国出願番号第８，９５６，８９４、２０１５年２月１７日発行、発明の名称、Ｌｉｇｈｔ  ｄｅｖｉｃｅｓ  ｕｓｉｎｇ  ｎｏｎ―ｐｏｌａｒ  ｏｒ  ｓｅｍｉｐｏｌａｒ  ｇａｌｌｉｕｍ  ｃｏｎｔａｉｎｉｎｇ  ｍａｔｅｒｉａｌｓ  ａｎｄ  ｐｈｏｓｐｈｏｒｓに見出すことができ、本明細書中に参照として組み込まれる。
【００５９】
これまで、特定のパッケージの実施形態に関して説明したが、多くのバリエーション、代替、および修正が可能である。例えば、レーザまたはＬＥＤデバイスは、円筒形、表面実装型、電源、ランプ、フリップチップ、スター、アレイ、ストリップ、またはレンズ（シリコーン、ガラス）に依存するジオメトリ、またはサブマウント（セラミック、シリコン、金属、複合材）といった様々なパッケージで構成することができる。代替的に、パッケージは、それらのパッケージのいかなるバリエーションとすることができる。他の実施形態では、パッケージ化されたデバイスは、他のタイプの光学デバイスおよび／または電子デバイスを含むことができる。例えば、光学デバイスは、ＯＬＥＤ、レーザ、ナノ粒子光学デバイスなどとすることができる。他の実施形態では、電子デバイスは、集積回路、センサー、マイクロ機械加工された電子機械システム、またはこれらの任意の組み合わせなどを含むことができる。特定の実施形態では、パッケージ化されたデバイスは、整流器に結合されて、交流電力を、パッケージ化されたデバイスに適した直流に変換することができる。整流器は、Ｅ２７またはＥ１４などのエジソンスクリュー、ＭＲ１６またはＧＵ５．３などのバイピンベース、またはＧＵ１０などのバヨネットマウントなどの適切なベースに結合することができる。他の実施形態では、整流器は、パッケージ化されたデバイスから空間的に分離することができる。 加えて、本パッケージ化されたデバイスは、様々な用途に提供することができる。好ましい実施形態では、本願は、一般的な照明であり、オフィスビル、住宅、屋外照明、スタジアム照明などを含む。代替的に、本願は、コンピューティング・アプリケーション、テレビ、フラットパネル、マイクロディスプレイなどで使用されるディスプレイなどとすることができる。さらに、本願は、自動車やゲームなども含むことができる。特定の実施形態では、本デバイスは、空間的均一性を達成するように構成される。すなわち、ディフューザを封入材に加えて空間的均一性を達成することができる。上記の実施形態に応じて、ディフューザは、ＴｉＯ２，ＣａＦ２，ＳｉＯ２，ＣａＣＯ３，ＢａＳＯ４、その他を含むことができ、これらは、光学的に透明であり、封入剤とは異なる屈折率を有していて、光を反射させ、屈折させ、散乱させて遠方場パターンをより均一にさせる。当然ながら、それらは、他のバリエーション、修正および代替えとなることができる。
【００６０】
燐光体プレートのアドレッシングは、図７に概説されるように、複数の方法で実行することができる。第１のアドレッシング・オプションは、一方向（例えば、高速ｘ方向）での高速スキャンと、第２方向（例えば、低速ｙ方向）でのより遅いスキャンとを伴う、カラーシーケンシャルでライン・バイ・ラインで交番させるものである。この場合には、スキャニングミラー２３０は、燐光体プレート２４０の全幅にわたって後ろ・前の仕方で、ライン毎にラスタされる。燐光体プレート２４０が、３つの別個のＲＧＢ燐光体２４１，２４２および２４３を有する場合、駆動波形が図７で概略的に示され、第１のセットの駆動電流７１１は、赤色サブプレート７４１の第１のライン７６１上に対応する所望のレーザ強度、その後、緑色サブプレート７４２の第１のライン７６１上に所望のレーザ強度を生成する第２のセットの駆動電流７１２、その後、青色サブプレート７４３の第３のセットの駆動電流７１３が生成される。ディスプレイ画像の第２のライン７６２が、低速ｙ軸に沿ったスキャナーの小さな変位と、ミラーの反対のｘ方向への別のスキャンを使用して形成される場合、第２のセットの駆動電流波形がレーザダイオードに供給され、青色、緑色および赤色と逆の順序で画像の第２のライン７６２が形成される。このアドレッシング・プロセスは、青色燐光体プレートの最後セットの電流パルス７２３を有する、最後のライン７６９でフルイメージフレームが生成されるまで続けられる。このアドレッシングは、ライン・バイ・ラインなカラーシーケンシャル・アドレッシングである。このような構成では、より高い光出力を必要とする用途のために、複数のレーザを組み合わせることができる。
【００６１】
アドレッシング・スキームは、フレーム・バイ・フレームのカラーシーケンシャル・アドレッシングに対応するように変更することができる。この場合には、赤フレームといった最初の色のフレームが完全に定義され、続いて緑色フレームと、青フレームとが定義される。スキャニングミラー２３０は、第１の燐光体（例えば、赤色）７４１を完全にスキャンし、次に、第２の燐光体（例えば、緑色）７４２を完全にスキャンし続け、完全な第３の燐光体（例えば、青色）７４３プレートをスキャンすることによって第１のカラー画像フレームを完成させる。燐光体の照射シーケンスは、過熱を回避し、システムの効率および信頼性を最大にするように、燐光体の熱性能に対して最適化することができる。複数のスキャナーを伴なう図５の光学的アーキテクチャは、同時的なカラーアドレッシングを可能とし、アドレッシングは、プライマリ波形７１１，７１２および７１３が同時に使用される点を除いて、上述したとと同じ方法で進行し、サブプレート７４１，７４２および７４３上の図７ｂに示されたプライマリビーム・スキャニングが、同時に発生する。
【００６２】
開示された照明技術およびディスプレイ技術またはセンサー技術に基づくスマートダイナミック照明システム８００は、図８に提示されており、図８は、システムの主要なアーキテクチャブロックを示す。照明サブシステム８１０は、図２〜５に記載されるように、白色、単色またはマルチカラーとすることができる。照明ビーム８２０または８２１は、照明ビームに続く意図されるターゲットを含むこともある特定のターゲット８３０またはバックグラウンド８７０に向けられる。検出サブシステム８４０は、スペクトルの可視部分（０．４〜０．７μｍ）に応答するフォトセンサーの単純な多素子アレイとすることができ、それらは、小型ＣＭＯＳまたはＣＣＤアレイとすることができ、またはスペクトラル波長０．３〜１５μｍで感度を有する赤外線センサーアレイ、またはマイクロボロメーター・アレイといった赤外線スペクトラムなどとすることができる。代替的に、サブシステム８４０は、スペクトルの可視または赤外線部分で感度を有するフルイメージング・アレイとすることができる。非イメージング原理に基づく他のモーションセンサも、使用することができる。モーションに関連する信号または完全な可視または赤外線画像は、プロセッシング・エレクトロニクス８５０によって分析され、データは、サーボ制御エレクトロニクス８６０に向けられる。ここで、サーボ・サブシステム８６０は、フィードバック信号を生成し、照明システム８１０のスキャニングミラーおよびレーザを制御する。このようにして、図８に示すように、ターゲットは、照明の強度、色および時間のコントロールを含んで動的に照明される。
【００６３】
ターゲットが位置８３０から位置８３１に移動すると、ターゲットによって反射および散乱された光８２２が、光ビーム８２３に変化する。光ビームまたはそれらが表す画像の変化は、検出サブシステムによって検出され、プロセッシング・エレクトロニクス８５０およびサーボ・コントローラ８６０に供給され、コントローラ８６０は、それらを位置８３０から位置８３１に移動することによって照明ビームを制御し、常に照明ビームがターゲットに向けられるよう効率的に維持する。照明が可視スペクトルの外にある場合、ターゲットは、監視され、追跡されていることに気が付かず、このことは、いくつかのセキュリティ用途で有利である。
【００６４】
完全な動的照明システムは、オフィス、家庭、ギャラリーなどの固定プラットフォームに取り付けることができ、または自動車、飛行機およびドローンのような可動システムに使用することができる。
【００６５】
上記は、特定の実施形態の完全な説明であるが、様々な変更、代替の構成および同等物を使用することができる。したがって、上記の説明および図面は、添付の特許請求の範囲によって規定される本発明の範囲を限定するものと解釈されるべきではない。
【図１】
0006761856.tif 000002
【図２】
0006761856.tif 000003
【図３Ａ】
0006761856.tif 000004
【図３Ｂ】
0006761856.tif 000005
【図３Ｃ】
0006761856.tif 000006
【図４】
0006761856.tif 000007
【図５】
0006761856.tif 000008
【図６】
0006761856.tif 000009
【図７】
0006761856.tif 000010
【図８】
0006761856.tif 000011